(57)【要約】【課題】金属板カム付きスチールテープの撤去・巻取り作業の効率よく行えるよう複数の金属板カムを均一な湾曲形状に容易に変形させることができるエレベータ用金属板カム付きスチールテープの巻取り冶具を提供する。【解決手段】エレベータ用金属板カム３０付きスチールテープ２６の巻取り冶具４０は、乗りかご１４上に設置される安全柵３６に巻取り冶具４０を取り付けるための取付部４２と、この取付部４２に固定され金属板カム３０付きスチールテープ２６が通過する湾曲通路を有する湾曲通路部４４とを含み、この湾曲通路を通してスチールテープ２６が巻き取られる際に金属板カム３０の平板部が上記湾曲通路にほぼ沿った湾曲形状に変形する。【選択図】図５
2010155669.tif 000002
【特許請求の範囲】
【請求項１】
エレベータの昇降路内における乗りかごの階床停止位置を検知するための金属板カムが乗りかごの昇降方向に沿って各階床停止位置に対応する間隔で複数取り付けられているスチールテープを撤去して巻き取る際に使用されるエレベータ用金属板カム付きスチールテープの巻取り冶具であって、
乗りかご上に設置される固定物に前記巻取り冶具を取り付けるための取付部と、この取付部に固定され前記金属板カム付きスチールテープが通過する湾曲通路を有する湾曲通路部とを含み、この湾曲通路を通して前記スチールテープが巻き取られる際に前記金属板カムの平板部が前記湾曲通路にほぼ沿った湾曲形状に変形することを特徴とする、エレベータ用金属板カム付きテープの巻取り冶具。
【請求項２】
請求項１に記載のエレベータ用金属板カム付きスチールテープの巻取り冶具であって、
前記金属板カムは前記スチールテープに対してボルトおよびナットで取り付けられており、前記湾曲通路部には前記ボルトのヘッド部または前記ナットとの接触を回避するための溝状開口部がテープ移動方向に沿って延伸して形成されていることを特徴とする、エレベータ用金属板カム付きスチールテープの巻取り冶具。
【請求項３】
請求項１または２に記載のエレベータ用金属板カム付きスチールテープの巻取り冶具において、
前記湾曲通路部は略円弧状の側面を有して形成されており、前記取付部は、前記湾曲通路部が上向きに凸状態、および、下向きに凸状態のいずれの方向にも取付可能に構成されていることを特徴とする、エレベータ用金属板カム付きスチールテープの巻取り冶具。
【請求項４】
請求項１から３のいずれか一項に記載のエレベータ用金属板カム付きスチールテープの巻取り冶具において、
前記湾曲通路部の湾曲形状を維持するための補強板が前記取付部との間に設けられていることを特徴とする、エレベータ用金属板カム付きスチールテープの巻取り冶具。
【請求項５】
複数本のスチールテープを同時巻取りできるように前記湾曲通路部が複数並列して設けられていることを特徴とする、エレベータ用金属板カム付きスチールテープの巻取り冶具。
【請求項６】
請求項１ないし５のいずれか一項に記載のスチールテープ巻取り冶具と、手動または電動により回転する巻取り部材によって前記スチールテープを巻き取る巻取り機とを含む、エレベータ用金属板カム付きスチールテープの巻取り装置。
【発明の詳細な説明】
【技術分野】
【０００１】
本発明は、エレベータ用金属板カム付きスチールテープの巻取り冶具およびこれを用いた巻取り装置に係り、特に、上記スチールテープ撤去時の巻取り作業の効率を向上させるエレベータ用金属板カム付きスチールテープの巻取り冶具およびこれを用いた巻取り装置に関する。
【背景技術】
【０００２】
従来、種々の商業用および住居用のビルディングおいて、エレベータが設置されている。エレベータの乗りかごは、昇降路内を昇降移動して、乗客が所望する階床の乗り場に対応する位置に停止して扉開することで、上記ビル内の階床間を移動することができる。
【０００３】
上記昇降路の側壁上には、乗りかごの昇降移動方向すなわち上下方向に沿って延伸するスチールテープが設置されている。スチールテープには、乗りかごの停止階床に対応して複数の金属板カムが所定間隔で取り付けられている。一方、乗りかごの例えば上部には、上記金属板カムを検知する階床検知装置が設けられている。エレベータの作動を制御する制御盤は、この階床検知装置が上記金属板カムを検知したときに乗りかごがどの階床に位置するかを判定し、検知された階床が乗客によって乗場でのかご呼び登録または乗りかご内での行き先階登録された階床であれば、その階床で乗りかごを停止させて扉開させるよう制御する。
【０００４】
ところで、上記金属板カムを検知する階床検知装置は、スチールテープ上に略台形状に突出する金属板カムに接触して押し込まれることで乗りかご位置を検知する接触式センサが用いられている。このような階床検知装置を接触式のものから例えば磁気検知型や静電容量型のセンサを用いた非接触検知式のものに改修する場合がある。このとき、上記金属板カム付きスチールテープも新たな検知方式に対応するものに交換する必要が生じる。そのために、改修作業を行う作業者は、既設のスチールテープをまず撤去しなければならない。
【０００５】
上記スチールテープの撤去作業では、乗りかごの天井上または乗りかご内に乗った作業者が、昇降路の側壁上部または天井部に固定されたスチールテープの上端部を取り外し、乗りかごを手動操作で下降移動させながらスチールテープを手で渦巻き状に巻き取るか、これとは逆に、昇降路の側壁下部または底部に固定されたスチールテープの下端部を取り外し、乗りかごを手動操作で下降移動させながらスチールテープを手で渦巻き状に巻き取っている。
【０００６】
ここで、特許文献１には、エレベータの階床選択機用穴あきスチールテープの交換方法が開示されている。この交換方法は、旧スチールテープの一端に新スチールテープの一端をつなぎ、機械室にある階床選択機の駆動プーリを空転状態にしたうえで、前記駆動プーリを介して旧スチールテープをピットに設けた巻取りリールで巻き取って旧スチールテープを回収しながら新スチールテープを同時に布設するものである。
【０００７】
【特許文献１】特開２０００−５３３４６号公報
【発明の開示】
【発明が解決しようとする課題】
【０００８】
上述した金属板カム付きスチールテープを手で巻き取る過程において、作業者は、順次に手元に来た金属板カムの平板部を腕力で曲げ変形させて湾曲形状にしてから渦巻状に巻き取っていた。金属板カムは、１本のスチールテープにつき階床数分だけ存在するため、金属板カムを手で曲げ変形させながら渦巻状に巻き取る作業は労力を要する作業であった。特に、上記金属板カム付きスチールテープは１基のエレベータに複数本（例えば２ないし６本）設けられているのが通常であるため、その撤去作業を１人の作業員が行う場合には時間と労力を要し、作業効率が悪かった。
【０００９】
さらに、上記撤去作業では、金属板カムを手で適当に曲げ変形させるため、その曲がり形状が不均一になることから、スチールテープを渦巻状にきれいに巻くことが難しく、このことも作業効率が悪くなる原因となっていた。
【００１０】
上記特許文献１に記載される発明は、エレベータの階床選択機用穴あきスチールテープの交換方法であって、上記のようなエレベータ用金属板カム付きスチールテープの撤去・巻き取り作業に関する問題の解決には適用できない。
【００１１】
本発明の目的は、金属板カム付きスチールテープの撤去・巻取り作業の効率よく行えるよう複数の金属板カムを均一な湾曲形状に容易に変形させることができるエレベータ用金属板カム付きスチールテープの巻取り冶具と、これを用いた巻取り装置とを提供することにある。
【課題を解決するための手段】
【００１２】
本発明に係るエレベータ用金属板カム付きスチールテープの巻取り冶具は、エレベータの昇降路内における乗りかごの階床停止位置を検知するための金属板カムが乗りかごの昇降方向に沿って各階床停止位置に対応する間隔で複数取り付けられているスチールテープを撤去して巻き取る際に使用されるエレベータ用金属板カム付きスチールテープの巻取り冶具であって、乗りかご上に設置される固定物に前記巻取り冶具を取り付けるための取付部と、この取付部に固定され前記金属板カム付きスチールテープが通過する湾曲通路を有する湾曲通路部とを含み、この湾曲通路を通して前記スチールテープが巻き取られる際に前記金属板カムの平板部が前記湾曲通路にほぼ沿った湾曲形状に変形することを特徴とする。
【００１３】
本発明に係るエレベータ用金属板カム付きスチールテープの巻取り冶具において、前記金属板カムは前記スチールテープに対してボルトおよびナットで取り付けられており、前記湾曲通路部には前記ボルトのヘッド部または前記ナットとの接触を回避するための溝状開口部がテープ移動方向に沿って延伸して形成されていてもよい。
【００１４】
また、本発明に係るエレベータ用金属板カム付きスチールテープの巻取り冶具において、前記湾曲通路部は略円弧状の側面を有して形成されており、前記取付部は、前記湾曲通路部が上向きに凸状態、および、下向きに凸状態のいずれの方向にも取付可能に構成されていてもよい。
【００１５】
また、本発明に係るエレベータ用金属板カム付きスチールテープの巻取り冶具において、前記湾曲通路部の湾曲形状を維持するための補強板が前記取付部との間に設けられていてもよい。
【００１６】
また、本発明に係るエレベータ用金属板カム付きスチールテープの巻取り冶具において、複数本のスチールテープを同時巻取りできるように前記湾曲通路部が複数並列して設けられていてもよい。
【００１７】
さらに、本発明に係るエレベータ用金属板カム付きスチールテープ巻取り装置は、上記いずれかの本発明に係るスチールテープ巻取り冶具と、手動または電動により回転する巻取り部材によって前記スチールテープを巻き取る巻取り機とを含むものである。
【発明の効果】
【００１８】
本発明に係るエレベータ用金属板カム付きスチールテープの巻取り冶具およびこれを用いた巻取り装置によれば、湾曲通路を通してスチールテープが巻き取られる際に金属板カムの平板部が湾曲通路にほぼ沿った均一な湾曲形状に容易に変形させることができる。これにより、作業者が前記スチールテープを整った渦巻き形状にきれいに巻く取ることができ、作業効率が向上する。また、手を使った腕力で金属板カムを曲げ変形させる必要がないため、作業者の腕の負担が軽減され、これによっても作業効率の向上に寄与する。
【発明を実施するための最良の形態】
【００１９】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００２０】
図１は、本発明に一実施の形態であるエレベータ用金属板カム付きスチールテープの巻取り冶具が用いられるエレベータ１０の概略構成を示す。エレベータ１０は、設置されるビルに鉛直方向に延伸形成される空間からなる昇降路１２内において矢印Ａで示す上下方向に昇降移動する乗りかご１４を備える。
【００２１】
乗りかご１４の天井部１６には、ワイヤ製の複数本のロープ１８が連結されている。昇降路１２の上部に配設される機械室内または昇降路１２の底部であるピット内に設置される巻上機によってロープ１８が巻き上げまたは巻き降ろしされることによって、乗りかご１４が昇降路１２内を上下に昇降移動するようになっている。
【００２２】
乗りかご１４には、両開き式又は片開き式のかご扉２０が開閉可能に設けられている。乗りかご１４が乗客が所望する階床位置に停止し、エレベータ乗場にある乗場扉と共にかご扉２０が開放されると、乗りかご１４とエレベータ乗場との間で乗客の乗降が可能になる。
【００２３】
また、乗りかご１４の天井部１６には、乗りかご１４がどの階床に位置するか又は階床停止位置を検知するための階床検知装置２２が設置されている。階床検知装置２２は、昇降路１２の側壁１３側に突出する例えばローラ状の検知部２４を有しており、この検知部２４が後述する金属板カム３０との接触により矢印Ｂ方向に押し込まれることで乗りかご１４が現在位置する階床を検知できるようになっている。
【００２４】
昇降路１２の側壁１３近傍には、例えば幅２５ｍｍで厚み１ｍｍ程度のスチールテープ２６が乗りかご１４の昇降方向（矢印Ａ方向）に沿って延設されている。スチールテープ２６の上端部は、昇降路１２の側壁１３の最上部または昇降路天井部に固定され、その下端部は前記側壁１３の最下部または昇降路底部に固定されている。また、スチールテープ２６は、通常、１基のエレベータにつき複数本（例えば２ないし６本）が横並びで配置されている。
【００２５】
スチールテープ２６には、乗りかご１４の停止階床位置に対応する間隔で停止階床数に相当する複数の金属板カム３０が例えば２本のボルト３１およびナット３３によって取り付けられている。金属板カム３０は、スチールテープ２６とほぼ同一幅で厚みが例えば２〜３ｍｍ程度とスチールテープよりも厚く、細長い長方形状の金属板で形成されている。
【００２６】
また、金属板カム３０は、昇降路１２に対してほぼ平行をなす直線状の平板部３２とこの平板部３２の上下両端部に折り曲がって連なる２つの傾斜部３４とを有し、これら平板部３２および傾斜部３４により側面視で略台形状をなしてスチールテープ２６の表面から突出している。これにより、スチールテープ２６に対向する位置で乗りかご１４と共に昇降移動する階床検知装置２２の検知部２４が金属板カム３０の傾斜部３４に乗り上げて平板部３２上に接触している間は、階床検知装置２２がオン状態となって、下記エレベータ制御盤にオン信号を出力する。
【００２７】
上記機械室またはピット内には、エレベータ１０の作動全般についての制御を司るエレベータ制御盤（図示せず）が設置されている。エレベータ制御盤は、階床検知装置２２と電気的に接続されており、階床検知装置２２からのオン信号を受信することによって乗りかご１４の現在階床位置を把握し、これに基づいて乗りかご１４の停止制御等を行っている。
【００２８】
乗りかご１４の天井部１６上には、固定物である安全柵３６が設置されている。安全柵３６は、エレベータ保守員等の作業員が乗りかご１４の天井部１６に乗って作業を行うときの安全を確保するためのもので、例えばＬ形鋼材によって上面視で略ロ字状をなすように構成されている。
【００２９】
なお、安全柵３６は、乗りかご１４上に常時立設されていてもよいし、あるいは、通常は折り畳まれていて作業時に立ち上げて組み立てられてもよい。
【００３０】
図２は、本実施形態のエレベータ用金属板カム付きスチールテープの巻取り冶具（以下、適宜に「巻取り冶具」とだけいう。）４０の側面図、図３は図２中の矢印Ｃ方向から見た巻取り冶具４０の正面図、図４は図２中の矢印Ｅ方向から見た巻取り冶具４０の背面図である。
【００３１】
図２に示すように、巻取り冶具４０は、昇降路１２の側壁１３側に位置する安全柵３６の上辺部３８に巻取り冶具４０を取り付けるための取付部４２と、取付部４２に固定されていて側面が略円弧状に形成された湾曲通路部４４とを含む。
【００３２】
上記取付部４２は、側面が略コ字状をなし、内部空間４３が横方向に向かって開口する金属製のブラケットであり、その両端側にはボルト４８が螺合するねじ穴４６がそれぞれ形成されている。ここで、前記ねじ穴４６は、取付部４２の内部空間４３を挟んだ上部と下部とに対向して形成されているが、いずれか一方だけに形成されていてもよい。
【００３３】
上記湾曲通路部４４は、円弧状をなすように湾曲した扁平矩形横断面形状の湾曲通路５０を内部に有する金属製の部材であり、溶接等の方法で取付部４２に固定されている。また、図２，４に示すように、湾曲通路部４４と取付部４２との間には、略三角形状または略扇状の側面形状をなす金属製の補強板５２，５４が溶接等の方法で固定されている。これにより、湾曲通路部４４の湾曲形状をより確実に維持することができる。
【００３４】
また、図２に示すように、巻取り冶具４０が安全柵３６に固定されたとき、湾曲通路部４４は、湾曲通路５０内を通過したスチールテープ２６が出口となる一端側開口部５６が水平方向Ｈに対して矢印Ｆで示す斜め上方に向かって開口するように形成されている。このように上記一端側開口部５６を方向付けることで、スチールテープ２６を湾曲通路部４４の他端開口部５８から挿入して上記一端側開口部５６からスチールテープ２６を水平方向Ｈに引っ張り出す際に、スチールテープ２６と共に湾曲通路５０内を通過する金属板カム３０が湾曲通路５０にほぼ沿った湾曲形状に塑性変形した状態のままで、換言すれば、上記一端側開口部５６から出るときに上記湾曲形状に塑性変形した金属板カム３０が元の形状に復元されることなく、湾曲通路部４４から引き出されることができる。
【００３５】
さらに、図３，４に示すように、湾曲通路部４４は、金属板カム３０が湾曲通路５０を通過する際に平板部３２上に突出するボルト３１のヘッド部（ボルトおよびナットの位置関係を逆にした場合にはナット３３）との接触を回避するための溝状開口部６０が形成されている。これにより、溝状開口部６０の両側に隣接する湾曲通路５０の内壁面５１ａ，５１ｂが金属板カム３０の平板部３２の表面に接触することで、金属板カム３０の湾曲変形をより円滑に実現することができる。
【００３６】
なお、上記溝状開口部が形成されていない湾曲通路部、すなわち四方周囲が閉じている湾曲通路部であっても上述のように金属板カム３０を湾曲変形させることは可能であるので、上記溝状開口部は本発明に係る巻取り装置において必須の要素ではない。また、湾曲通路部４４の円弧状側面の長さ及びその湾曲通路５０の厚みＧ（図４参照）や曲率は、スチールテープ２６からの金属板カム３０の突出高さや金属板カム３０の曲げ剛性等を考慮して、最適に設定され得るものである。
【００３７】
続いて、図５も参照して、上記構成からなる巻取り冶具４０を用いてのスチールテープ２６の撤去および巻取り作業について説明する。図６は、乗りかご１４の天井部１６上で作業者Ｍがスチールテープ２６を渦巻状に巻き取っている様子を示す。
【００３８】
スチールテープ２６の撤去作業を行う作業者Ｍは、まず、乗りかご１４内に配置されるかご操作盤（図示せず）上のスイッチ操作により、エレベータ１０の運転状態を自動運転モードから手動運転モードに切り替える。それから、図２に示すように、乗りかご１４の天井部１６上に乗った作業者は、巻取り冶具４０を安全柵３６に取り付ける。具体的には、巻取り冶具４０の取付部４２の内部空間４３に前記上辺部３８の横方向端部を挿入し、取付部４２の上部にあるねじ穴に４６に螺合させた取付ボルト４８を締め付けることによって、巻取り冶具４０が安全柵３６の上辺部３８に固定される。
【００３９】
その後、作業者Ｍは、手動操作によって乗りかご１４を昇降路１２内の最上部まで上昇移動させ、昇降路１２の最上部に固定されたスチールテープ２６の上端部を取り外す。そして、取り外したスチールテープ２６の上端部を巻取り冶具４０の湾曲通路部４４の上記他端開口部５８から湾曲通路５０内に挿入して、上記一端開口部５６からスチールテープ２６の上端部を引き出す。
【００４０】
それから、作業者Ｍは、図５に示すように、手動操作によって乗りかご１４を矢印Ｄ方向に下降移動させながら、スチールテープ２６を手作業によって渦巻状に巻き取っていく。このとき、スチールテープ２６に所定間隔で取り付けられている金属板カム３０の平板部３２は、作業者Ｍによるスチールテープ２６に引っ張り力によって巻取り冶具４０の湾曲通路部４４内の湾曲通路５０を通過する際に、湾曲通路５０の形状にほぼ沿った湾曲形状に塑性変形させられる。その湾曲変形した金属板カム３０が、図５において符号３０ａで示されている。
【００４１】
このようして巻取り冶具４０の湾曲通路５０を通してスチールテープ２６が巻き取られる際に、金属板カム３０の平板部３２が湾曲通路５０にほぼ沿った均一な湾曲形状に容易に変形させることができる。これにより、作業者Ｍがスチールテープ２６を整った渦巻き形状にきれいに巻く取ることができ、作業効率が向上する。また、これまでのように手を使った腕力で金属板カム３０を曲げ変形させる必要がないため、作業者Ｍの腕の負担が軽減され、これによっても作業効率の向上に寄与する。特に、これらの作業効率を向上させる効果は、１人の作業者が複数本のスチールテープ２６の撤去作業を連続して行う場合に、特に顕著である。
【００４２】
上記においては、乗りかご１４を下降移動させながらスチールテープ２６を上端部側から巻き取っていく例について説明したが、図６に示すように、乗りかご１４を矢印Ｕ方向に上昇移動させながら、スチールテープ２６を下端部側から巻き取っていくことも可能である。この場合、上記では湾曲通路部４４が上向きに凸状態（図２，５参照）になるように安全柵３６に取り付けた巻取り冶具４０を、図６に示すように、湾曲通路部４４が下向きに凸状態となるように上下反転させて取り付ける。このとき、取付部４２において安全柵３６の上辺部３８の上側に位置する部分に形成されるねじ穴４６（図２において下側のねじ穴４６）に取付ボルト４８を螺合させて締め付けるようにすれば、作業者Ｍは巻取り冶具４０の取付け作業を上方からの視点で容易に行うことができる。
【００４３】
上記において、本実施形態の巻取り冶具４０について十分に説明されてきたが、本発明に係る巻取り冶具は上記構成のものに限定されるものではなく、種々の変更および改良が可能である。
【００４４】
例えば、上記では巻取り冶具を乗りかご上の安全柵に固定するものとして説明したが、乗りかご上にある安全柵以外の固定物、例えば乗りかごの四方周囲を取り囲む略ロ字状のフレーム等に巻取り冶具が取り付けられてもよい。
【００４５】
また、上記では作業者が乗りかご上でスチールテープの巻取りを行うものとして説明したが、乗りかごの天井部に設けられる避難用脱出口を開放してスチールテープをかご内に引き入れ、作業者が乗りかご内でスチールテープの巻取り作業を行ってもよいし、あるいは、乗場扉を開放して最上階のエレベータ乗場で作業者がスチールテープの巻取り作業を行ってもよい。
【００４６】
また、上記では作業員が手で保持しながらスチールテープを巻き取るように説明したが、作業員の手動またはモータ駆動による電動で回転する巻取りリールを含む巻取り機を乗りかご上に設置し、上記巻取り冶具と上記巻取り機とでスチールテープ巻取り装置を構成してもよい。この場合には、複数本の金属板カム付きスチールテープの同時巻取りが可能になるため、図７に示すように、少なくとも２つ以上の湾曲通路部４４が並列して取付部４２に固定されている巻取り冶具４０ａを用いれば、さらなる作業効率の向上が図れる。
【図面の簡単な説明】
【００４７】
【図１】本発明の実施形態である巻取り冶具が適用されるエレベータの概略構成図である。
【図２】本発明の一実施形態である巻取り冶具の側面図である。
【図３】図２中の矢印Ｃ方向から見た巻取り冶具の正面図である。
【図４】図２中の矢印Ｅ方向から見た巻取り冶具の背面図である。
【図５】乗りかご上で作業員がスチールテープを上端側から巻き取る様子を示す図である。
【図６】乗りかご上で作業員がスチールテープを下端側から巻き取る様子を示す図である。
【図７】複数の湾曲通路部が並列配置されている巻取り冶具を示す図４と同様の背面図である。
【符号の説明】
【００４８】
１０  エレベータ、１２  昇降路、１３  側壁、１４  乗りかご、１６  天井部、１８  ロープ、２０  かご扉、２２  階床検知装置、２４  検知部、２６  スチールテープ、３０  金属板カム、３２  平板部、３４  傾斜部、３６  安全柵、３８  上辺部、４０，４０ａ  エレベータ用金属板カム巻取り冶具、４２  取付部、４４  湾曲通路部、５０  湾曲通路、５２，５４  補強板、６０  溝状開口部、Ｍ  作業者。
【図１】
2010155669.tif 000003
【図２】
2010155669.tif 000004
【図３】
2010155669.tif 000005
【図４】
2010155669.tif 000006
【図５】
2010155669.tif 000007
【図６】
2010155669.tif 000008
【図７】
2010155669.tif 000009